(57)【特許請求の範囲】
【請求項１】
ユーザ装置において、測定レポートを提供する方法であって、前記ユーザ装置は、複数のワイヤレス・ネットワークによって干渉され、前記方法は、
ｅＮｏｄｅＢから、前記複数のワイヤレス・ネットワークによってそれぞれ使用される複数のサブフレーム・パターンについての情報を受信するステップと、
前記ｅＮｏｄｅＢから、前記測定レポートと、前記複数のサブフレーム・パターンとの間の関連付けを取得するステップと、
少なくとも１つのサブフレーム・パターンの中でチャネル情報を測定するステップ、および前記関連付けに従って前記少なくとも１つのサブフレーム・パターンについての測定レポートを生成するステップと、
前記測定レポートを前記ｅＮｏｄｅＢに対して送信するステップと
を含む方法。
【請求項２】
前記サブフレーム・パターンは、前記パターンの中のブランクのフレームおよび／またはほとんどブランクのフレームの位置を含み、また前記測定するステップは、前記パターンの中の前記ブランクのフレームおよび／またはほとんどブランクのフレームの中で前記ｅＮｏｄｅＢからの信号と、前記複数のワイヤレス・ネットワークからの干渉とに従って前記チャネル情報を測定する、請求項１に記載の方法。
【請求項３】
前記受信するステップは、ＲＲＣ信号を経由して前記複数のサブフレーム・パターンについての前記情報を受信し、１つの測定レポートは、１つのパターンに関連付けられ、かつ／または前記関連付けは、以下、すなわち、
前記測定レポートは、その中で前記ユーザ装置が前記測定レポートを送信するサブフレームのインデックスに関連した前記パターンに関連付けられる、
前記測定レポートは、その中で前記ユーザ装置が前記ｅＮｏｄｅＢから測定レポートについての要求を受信したサブフレームのインデックスに関連した前記パターンに関連付けられる
のうちの一方を含む、請求項１に記載の方法。
【請求項４】
前記取得するステップは、
前記ｅＮｏｄｅＢから、１つの特定のパターンについての前記測定レポートを送信する指示を受信するステップと、
前記ｅＮｏｄｅＢから、１つの特定のパターンについての前記測定レポートをアクティブにする、または非アクティブにする指示を受信するステップと
のうちの少なくとも一方をさらに含む、請求項３に記載の方法。
【請求項５】
前記受信するステップは、ユーザ装置特有の信号またはマルチキャスト／ブロードキャスト信号のいずれかを通して前記複数のサブフレーム・パターンを受信し、かつ／または前記方法は、前記測定するステップと前記送信するステップとの前に、
前記ｅＮｏｄｅＢから、前記測定レポートを提供する指示、または提供しない指示を受信するステップ
をさらに含む、請求項１に記載の方法。
【請求項６】
前記ユーザ装置は、ピコ・ユーザ装置であり、前記ｅＮｏｄｅＢは、ピコｅＮｏｄｅＢであり、また前記複数のワイヤレス・ネットワークは、マクロセルであり、
あるいは前記ユーザ装置は、マクロ・ユーザ装置であり、前記ｅＮｏｄｅＢは、マクロｅＮｏｄｅＢであり、また前記複数のワイヤレス・ネットワークは、フェムトセルである、請求項１に記載の方法。
【請求項７】
ｅＮｏｄｅＢにおいて、ユーザ装置が測定レポートを提供することを支援する方法であって、前記ユーザ装置は、複数のワイヤレス・ネットワークによって干渉され、前記方法は、
前記複数のワイヤレス・ネットワークによってそれぞれ使用される複数のサブフレーム・パターンについての情報を前記ユーザ装置に送信するステップと、
前記測定レポートと、前記複数のサブフレーム・パターンとの間の関連付けを前記ユーザ装置に通知するステップと、
前記ユーザ装置から、前記複数のサブフレーム・パターンのうちの少なくとも１つの中の、前記ユーザ装置によって測定されるチャネル情報に基づいている測定レポートを受信するステップと、
前記受信された測定レポートのおのおのを前記関連付けに従って前記対応するサブフレーム・パターンと関係づけるステップと
を含む方法。
【請求項８】
前記サブフレーム・パターンは、前記パターンの中のブランクのフレームおよび／またはほとんどブランクのフレームの位置を含み、また前記チャネル情報は、前記ブランクのフレームおよび／またはほとんどブランクのフレームの中で前記ユーザ装置によって測定される前記ｅＮｏｄｅＢからの信号と、前記複数のワイヤレス・ネットワークからの干渉とに従って測定される、請求項７に記載の方法。
【請求項９】
前記送信するステップは、ＲＲＣ信号を経由して複数のサブフレーム・パターンについての情報を送信し、また１つの測定レポートは、１つのパターンに関連付けられ、前記関連付けは、以下、すなわち、
前記測定レポートは、その中で前記ｅＮｏｄｅＢが前記ユーザ装置から前記測定レポートを受信すべきであるサブフレームの数に関連した前記パターンに関連付けられる、
前記測定レポートは、その中で前記ｅＮｏｄｅＢが前記測定レポートについての要求を前記ユーザ装置に対して送信するサブフレームの数に関連した前記パターンに関連付けられる
のうちの一方を含む、請求項７に記載の方法。
【請求項１０】
前記通知するステップは、
１つの特定のパターンについての前記測定レポートを送信するように前記ユーザ装置に通知するステップと、
１つの特定のパターンについての前記測定レポートをアクティブにするように、または非アクティブにするように前記ユーザ装置に通知するステップと
のうちの一方を含む、請求項７に記載の方法。
【請求項１１】
前記送信するステップは、ユーザ装置特有の信号またはマルチキャスト／ブロードキャスト信号を通して前記複数のサブフレーム・パターンを送信し、かつ／または
前記方法は、
測定レポートを提供する指示、または提供しない指示を前記ユーザ装置に対して送信するステップ
をさらに含む、請求項７に記載の方法。
【請求項１２】
前記対応するサブフレーム・パターンと一緒に前記測定レポートに従って、前記ブランクのフレームおよび／またはほとんどブランクのフレームの上で前記ユーザ装置に対するデータ伝送をスケジュールする任意のステップ
をさらに含む、請求項８に記載の方法。
【請求項１３】
前記ｅＮｏｄｅＢは、ピコｅＮｏｄｅＢであり、前記ユーザ装置は、ピコ・ユーザ装置であり、また前記複数のワイヤレス・ネットワークは、マクロセルであり、
あるいは前記ｅＮｏｄｅＢは、マクロｅＮｏｄｅＢであり、前記ユーザ装置は、マクロ・ユーザ装置であり、また前記複数のワイヤレス・ネットワークは、フェムトセルである、請求項７に記載の方法。
【請求項１４】
ユーザ装置において、測定レポートを提供するデバイスであって、前記ユーザ装置は、複数のワイヤレス・ネットワークによって干渉され、前記デバイスは、
ｅＮｏｄｅＢから、前記複数のワイヤレス・ネットワークによってそれぞれ使用される複数のサブフレーム・パターンについての情報を受信するための第５のユニットと、
前記ｅＮｏｄｅＢから、前記測定レポートと、前記複数のサブフレーム・パターンとの間の関連付けを取得するための第６のユニットと、
少なくとも１つのサブフレーム・パターンの中でチャネル情報を測定し、また前記関連付けに従って前記少なくとも１つのサブフレーム・パターンについての測定レポートを生成するための第７のユニットと、
前記測定レポートを前記ｅＮｏｄｅＢに対して送信するための第８のユニットと
を備えるデバイス。
【請求項１５】
ｅＮｏｄｅＢにおいて、ユーザ装置が測定レポートを提供することを支援するデバイスであって、前記ユーザ装置は、複数のワイヤレス・ネットワークによって干渉され、前記デバイスは、
前記複数のワイヤレス・ネットワークによってそれぞれ使用される複数のサブフレーム・パターンについての情報を前記ユーザ装置に送信するための第１のユニットと、
前記測定レポートと、前記複数のサブフレーム・パターンとの間の関連付けを前記ユーザ装置に通知するための第２のユニットと、
前記ユーザ装置から、前記複数のサブフレーム・パターンのうちの少なくとも１つの中の、前記ユーザ装置によって測定されるチャネル情報に基づいている測定レポートを受信するための第３のユニットと、
前記受信された測定レポートのおのおのを前記関連付けに従って前記対応するサブフレーム・パターンと関係づけるための第４のユニットと
を備えるデバイス。
【発明の詳細な説明】
【技術分野】
【０００１】
本発明は、ワイヤレス・ネットワークに関し、詳細にはセル間干渉調整に関する。
【背景技術】
【０００２】
同一チャネル異機種ネットワーク展開についての強化されたセル間干渉調整（ＩＣＩＣ：ｉｎｔｅｒ−ｃｅｌｌ  ｉｎｔｅｒｆｅｒｅｎｃｅ  ｃｏｏｒｄｉｎａｔｉｏｎ）のための技法が、３ＧＰＰの中のＬＴＥのリリース１０（Ｒｅｌｅａｓｅ  １０  ｏｆ  ＬＴＥ  ｉｎ  ３ＧＰＰ）の中で紹介されている。同一チャネル異機種ネットワークは、同じ周波数チャネルの上で動作するマクロセルと小型セルとを備える。そのような展開は、新しいＩＣＩＣ技法が、そのために必要とされる何らかの特定の干渉シナリオを提示する。
【０００３】
１つのシナリオにおいては、小型セルは、ピコセルであり、これらのピコセルは、マクロセルラー方式ネットワークのユーザに対してオープンになっている。そのようなピコセルが全体のトラフィック負荷のうちの有用なシェア（ｓｈａｒｅ）を搬送することを保証するために、ユーザ装置（ＵＥ：ｕｓｅｒ  ｅｑｕｉｐｍｅｎｔ）は、例えば、そこでそれらが関連付けるべきピコセルを選択することになるＳＩＮＲしきい値をバイアスすることにより、マクロセルではなくてピコセルに優先的に関連付けるようにプログラムされることもある。そのような状態の下では、ピコセルのカバレッジ・エリアのエッジの近くのＵＥは、１つまたは複数のマクロセルから強い干渉を受けることになる。そのような干渉を軽減するために、いくつかのサブフレームは、マクロセルにおいて「ブランク」または「ほとんどブランク」として構成されることもある。ブランク・サブフレームがマクロセルからの伝送を含まない一方で、「ほとんどブランクの」サブフレームは、一般的にデータの伝送を含まず、かつ制御信号の伝送をほとんどまたは全く含まないものの、基準信号の伝送を含んでおり、その結果、測定のための基準信号を見出すことを期待しているが、ほとんどブランクのサブフレームの構成については知らないレガシー端末との後方互換性を保証するようになる。ほとんどブランクのサブフレームはまた、同期信号、ブロードキャスト制御情報、および／またはページング信号を含むこともできる。
【０００４】
ブランク、またはほとんどブランクのサブフレーム（ＡＢＳ）の使用を有効にするために（以下では、用語「ＡＢＳ」が使用され、またこの用語は、ブランクのサブフレームと、ほとんどブランクのサブフレームとの両方を含むように理解されるべきであることに注意すべきである）、ＬＴＥにおいて「Ｘ２」インターフェースとして知られている対応するバックホール・インターフェースを通してのマクロセルからピコセルへの信号が必要とされる。ＬＴＥリリース１０では、このＸ２信号は、ＡＢＳパターン（例えば、各ビットが、一連のサブフレームの中の１つのサブフレームに対応しており、ビットの値が、サブフレームが、ＡＢＳであるか否かを示している）を示す調整ビットマップの形式を取ることになることが、合意されている。そのような信号は、ピコセルが、干渉を回避するようにピコセルにおけるデータ伝送を適切にスケジュールすること（例えば、ＡＢＳの中でピコセルのエッジの近くのＵＥに対する伝送をスケジュールすることにより）、および低いマクロセルラー方式干渉を有するべきであり、またそれゆえにＲＲＭ／ＲＬＭ／ＣＱＩの測定のために使用されるべきサブフレームをＵＥに対して信号で伝えることを助けることができる。（ＲＲＭ＝無線リソース管理（Ｒａｄｉｏ  Ｒｅｓｏｕｒｃｅ  Ｍａｎａｇｅｍｅｎｔ）であり、一般的にハンドオーバーに関連しており；ＲＬＭ＝無線リンク監視（Ｒａｄｉｏ  Ｌｉｎｋ  Ｍｏｎｉｔｏｒｉｎｇ）であり、一般的にサービング無線リンクの失敗の検出に関連しており；ＣＱＩ＝チャネル品質情報（Ｃｈａｎｎｅｌ  Ｑｕａｌｉｔｙ  Ｉｎｆｏｒｍａｔｉｏｎ）であり、サービング・セルからの信号強度と、他のセルからの干渉とから導き出され、また一般的にサービング無線リンクの上でのリンク適応とスケジューリングとのために使用される。）ＲＲＭ、ＲＬＭおよびＣＳＩに関連した異なる測定のためにＵＥに対して信号で伝えられるサブフレーム・パターンは、パターンおよび／または周期性の観点で異なっている可能性があることに注意すべきである。
【０００５】
いくつかの場合には、ピコセルは、複数のマクロセルとオーバーラップしている可能性があり、またピコセルの異なる部分にあるピコＵＥ（ＰＵＥ：ｐｉｃｏ  ＵＥ）は、それゆえに異なるマクロセルから干渉を受ける可能性がある。各マクロセルは、異なるＡＢＳパターンを使用することができる。そのような場合には、ＰＵＥによって行われるＣＱＩ測定は、干渉が測定される特定のサブフレームに依存することになる。ＣＱＩ測定が、どのサブフレームにおいてＰＵＥをスケジュールすべきかと、これらのサブフレームにおいてどの変調および符号化スキーム（ＭＣＳ：ｍｏｄｕｌａｔｉｏｎ  ａｎｄ  ｃｏｄｉｎｇ  ｓｃｈｅｍｅ）を使用すべきかとを決定する際に、ＰｅＮＢに対して有用であるべきである場合、ＰｅＮＢは、異なるマクロセルの異なるＡＢＳパターンに対応するＣＱＩ情報を必要とする。
【０００６】
類似したシナリオは、小型セルが、閉じた加入者グループ（ＣＳＧ：Ｃｌｏｓｅｄ  Ｓｕｂｓｃｒｉｂｅｒ  Ｇｒｏｕｐ）に基づいて動作するフェムトセルであり、またそれゆえに、一般的に、マクロセルラー方式ネットワークのユーザに対してオープンではない異機種ネットワークとともに起こり得ることに注意すべきである。この場合には、フェムトセルは、それらのマクロセルＵＥがフェムトｅＮＢの近くにやって来るときに、マクロセルＵＥに対して強い干渉を引き起こす可能性がある。そのときには、その中でそれらがリソース特有の測定を行うべきサブフレーム（すなわち、１つまたは複数のフェムトセルからの干渉が低減される、または存在しないサブフレーム）をそれらのＵＥに対して示すことが、有利である可能性がある。
【０００７】
ＬＴＥ仕様の現在のバージョンは、単一のＣＱＩレポートだけを規定しており、またこれは、どのような形でも、干渉の異なるレベルを有する特定のサブフレームに関連してはいない。
【先行技術文献】
【非特許文献】
【０００８】
【非特許文献１】Ｒｅｌｅａｓｅ  １０  ｏｆ  ＬＴＥ  ｉｎ  ３ＧＰＰ
【非特許文献２】ＬＴＥ  Ｒｅｌｅａｓｅ  ８
【発明の概要】
【発明が解決しようとする課題】
【０００９】
したがって、対応するサブフレーム・パターンに関連した測定レポートを提供するための一方法が、必要とされる。
【課題を解決するための手段】
【００１０】
本発明の第１の態様においては、ユーザ装置において、測定レポートを提供する方法が、提供され、前記ユーザ装置は、複数のワイヤレス・ネットワークによって干渉され、前記方法は、
ｅＮｏｄｅＢから、前記複数のワイヤレス・ネットワークによってそれぞれ使用される複数のサブフレーム・パターンについての情報を受信するステップと、
ｅＮｏｄｅＢから、測定レポートと、前記複数のサブフレーム・パターンとの間の関連付けを取得するステップと、
少なくとも１つのサブフレーム・パターンの中でチャネル情報を測定するステップ、および前記関連付けに従って前記少なくとも１つのサブフレーム・パターンについての測定レポートを生成するステップと、
前記測定レポートを前記ｅＮｏｄｅＢに対して送信するステップと
を含む。
【００１１】
本発明の第２の態様においては、ｅＮｏｄｅＢにおいて、ユーザ装置が測定レポートを提供することを支援する方法が、提供され、前記ユーザ装置は、複数のワイヤレス・ネットワークによって干渉され、前記方法は、
前記複数のワイヤレス・ネットワークによってそれぞれ使用される複数のサブフレーム・パターンについての情報を前記ユーザ装置に送信するステップと、
測定レポートと、前記複数のサブフレーム・パターンとの間の関連付けを前記ユーザ装置に通知するステップと、
前記ユーザ装置から、前記複数のサブフレーム・パターンのうちの少なくとも１つの中の、前記ユーザ装置によって測定されるチャネル情報に基づいている測定レポートを受信するステップと、
受信された測定レポートのおのおのを前記関連付けに従って対応するサブフレーム・パターンと関係づけるステップと
を含む。
【００１２】
それに応じて、本発明の第３の態様においては、ユーザ装置において、測定レポートを提供するデバイスが、提供され、前記ユーザ装置は、複数のワイヤレス・ネットワークによって干渉され、前記デバイスは、
ｅＮｏｄｅＢから、前記複数のワイヤレス・ネットワークによってそれぞれ使用される複数のサブフレーム・パターンについての情報を受信するための第５のユニットと、
ｅＮｏｄｅＢから、測定レポートと、前記複数のサブフレーム・パターンとの間の関連付けを取得するための第６のユニットと、
少なくとも１つのサブフレーム・パターンの中でチャネル情報を測定し、また前記関連付けに従って前記少なくとも１つのサブフレーム・パターンについての測定レポートを生成するための第７のユニットと、
前記測定レポートを前記ｅＮｏｄｅＢに対して送信するための第８のユニットと
を備える。
【００１３】
本発明の第４の態様においては、ｅＮｏｄｅＢにおいて、ユーザ装置が測定レポートを提供することを支援するデバイスが、提供され、前記ユーザ装置は、複数のワイヤレス・ネットワークによって干渉され、前記デバイスは、
前記複数のワイヤレス・ネットワークによってそれぞれ使用される複数のサブフレーム・パターンについての情報を前記ユーザ装置に送信するための第１のユニットと、
測定レポートと、前記複数のサブフレーム・パターンとの間の関連付けを前記ユーザ装置に通知するための第２のユニットと、
前記ユーザ装置から、前記複数のサブフレーム・パターンのうちの少なくとも１つの中の、前記ユーザ装置によって測定されるチャネル情報に基づいている測定レポートを受信するための第３のユニットと、
受信された測定レポートのおのおのを前記関連付けに従って対応するサブフレーム・パターンと関係づけるための第４のユニットと
を備える。
【００１４】
本発明のこれらの特徴および他の特徴は、実施形態の部分において詳細に説明されることになる。
【００１５】
本発明の特徴、態様および利点は、添付の図面の助けを借りて非限定的な実施形態についての以下の説明を読むことにより明らかになるであろう。そこでは、同じまたは類似の参照番号は、同じまたは類似のステップまたは手段を意味している。
【図面の簡単な説明】
【００１６】
【図１】ワイヤレス・ネットワークの概略図である。
【図２】３つのマクロセルのＡＢＳパターンの概略図である。
【図３】測定レポートを提供する方法のフローチャートを示す図である。
【発明を実施するための形態】
【００１７】
図１は、異機種ネットワークの１つの例のトポロジを示すものである。そこでは、ピコｅＮＢ（ＰｅＮＢ：Ｐｉｃｏ  ｅＮＢ）によって支配されるピコセルは、３つのマクロｅＮＢによって支配される３つのマクロセルの近くにある。ピコＵＥ（ＰＵＥ：Ｐｉｃｏ  ＵＥ）は、ピコセルのエッジに位置している。本発明は、このトポロジと、これらの２つの種類のワイヤレス・ネットワークとだけには限定されないことに注意すべきである。例えば、マクロｅＮＢによって支配されるマクロセルは、フェムトｅＮＢによって支配されるいくつかのフェムトセルの近くにある可能性がある。
【００１８】
通常、各マクロセルは、ＡＢＳの異なるパターンを使用し、またそのＡＢＳパターンをＸ２インターフェースを経由してＰｅＮＢに対して信号で伝える。代わりに、ＰｅＮＢは、運用および保守の（Ｏ＆Ｍ：Ｏｐｅｒａｔｉｏｎｓ  ａｎｄ  Ｍａｉｎｔｅｎａｎｃｅ）インターフェースを用いて隣接するマクロセルのＡＢＳパターンであらかじめプログラムされていてもよい。
【００１９】
ＰｅＮＢは、ユーザ装置が、測定レポートを提供することを支援するデバイスを備える。このデバイスは、第１のユニットと、第２のユニットと、第３のユニットと、第４のユニットとを備える。またＰＵＥは、測定レポートを提供するデバイスを備える。このデバイスは、第５のユニットと、第６のユニットと、第７のユニットと、第８のユニットとを備える。
【００２０】
ステップＳ１０において、第１のユニットは、３つのマクロセルによってそれぞれ使用される３つのサブフレーム・パターンについての情報をユーザ装置ＰＵＥに送信する。具体的には、３つのマクロセルのＡＢＳパターンが、全くオーバーラップしていない場合、ＰｅＮＢは、例えば、３つのパターンをＰＵＥに対して直接に信号で伝えることができる。代わりに、それらのパターンの間に何らかのオーバーラップが存在する場合、ＰｅＮＢは、例えば、ＰＵＥに対して信号で伝えられる各測定サブフレーム・パターンが、１つのマクロセルのＡＢＳだけを含むように、ＡＢＳのサブセットを信号で伝えることを選択することができる。代わりに、信号で伝えられたサブセットは、３つのマクロセルのパターンが、オーバーラップしている場合には、共通のパターンである可能性がある。隣接するセルのサブフレーム・パターンをＰＵＥに通知するためにＰｅＮＢによって使用されるメカニズムは、上記の例だけには限定されない。
【００２１】
図２において示されるように、サブフレームのパターンは、パターンの中に、ブランクのフレームおよび／またはほとんどブランクのフレーム（ＡＢＳ）の位置を含む。
【００２２】
好ましい実施形態においては、第１のユニットは、ＲＲＣ信号を経由して３つのサブフレーム・パターンについての情報を送信する。
【００２３】
それに応じて、ステップＳ１１において、第５のユニットは、３つのマクロセルによってそれぞれ使用される３つのサブフレーム・パターンについての情報を受信する。
【００２４】
ステップＳ１２において、第２のユニットは、測定レポートと、３つのサブフレーム・パターンとの間の関連付けをユーザ装置ＰＵＥに通知する。ＵＥから報告して戻されるように構成されている可能性のある測定レポートの数は、ＵＥに対して信号で伝えられる測定パターンの総数に依存することになる。以下の部分では、ＣＱＩ測定レポートが、測定レポートの一例として取り上げられる。
【００２５】
第１の実施形態においては、ＣＱＩ測定レポートは、ＣＱＩ測定レポートの定期的なシーケンスのうちの１つであり、また定期的なシーケンスが構成されるときに、より高いレイヤの信号を使用して、シーケンスのレポートを測定サブフレーム・パターンのうちの１つに関連付け、ＣＱＩ測定レポートの複数のそのようなシーケンスは、おのおのが、異なる測定サブフレーム・パターンに関連付けられて、このようにして構成されることもある。
【００２６】
第２の実施形態においては、ＣＱＩ測定レポートと、測定サブフレーム・パターンとの間の関連付けは、その中でＣＱＩ測定レポートが送信されるべきサブフレームのインデックスから導き出される。例えば、関連するサブフレーム・パターンのアイデンティティは、ｎｓｓ  ｍｏｄ  Ｎによって与えられ、式中でｎｓｓは、その中でＣＱＩ測定レポートが送信されるべきサブフレームのインデックスであり、またＮは、信号で伝えられたサブフレーム・パターンのインデックスである。
【００２７】
第３の実施形態においては、ＣＱＩ測定レポートと、測定サブフレーム・パターンとの間の関連付けは、その中でＣＱＩ測定レポートが要求されるサブフレームのインデックスから導き出される。例えば、関連するサブフレーム・パターンのアイデンティティは、ｎｓｒ  ｍｏｄ  Ｎによって与えられ、式中でｎｓｒは、その中でＣＱＩ測定レポートが要求されるサブフレームのインデックスであり、またＮは、信号で伝えられたサブフレーム・パターンのインデックスである。
【００２８】
第４の実施形態においては、ＣＱＩ測定レポートと、測定サブフレーム・パターンとの間の関連付けは、ＣＱＩ測定レポートを要求する信号と一緒にＰｅＮＢによってＰＵＥに対して信号で伝えられる。例えば、ＬＴＥリリース８（ＬＴＥ  Ｒｅｌｅａｓｅ  ８）は、定期的なＣＱＩレポート（ＣＱＩ  ｒｅｐｏｒｔｉｎｇ）を規定しており、ここで、個別のＣＱＩレポートは、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）の上のアップリンク認可メッセージの中で送信される単一ビットによってトリガされる。本発明によれば、１つまたは複数の追加ビットが、そのようなＰＤＣＣＨメッセージに追加されて、どの測定サブフレーム・パターンが、トリガされたＣＱＩレポートのために使用されるべきかを示すことができる。
【００２９】
第５の実施形態においては、ＣＱＩ測定レポートと、測定サブフレーム・パターンとの間の関連付けは、各逐次的ＣＱＩ測定レポートを有する、信号で伝えられた測定サブフレーム・パターンの組を繰り返す。例えば、第１のＣＱＩ測定レポートは、第１の信号で伝えられた測定サブフレーム・パターンに関連付けられ、第２のＣＱＩ測定レポートは、第２の信号で伝えられた測定サブフレーム・パターンに関連付けられるなどである。
【００３０】
それに応じて、ステップＳ１３において、第６のユニットは、測定レポートと、３つのサブフレーム・パターンとの間の関連付けを取得する。
【００３１】
その後に、ステップＳ１４において、第７のユニットは、３つのサブフレーム・パターンの中でチャネル情報を測定する。具体的には、パターンの中のＳＩＮＲが、測定される。
【００３２】
またステップＳ１４において、第７のユニットは、取得された関連付けに従って３つのサブフレーム・パターンについての測定レポートを生成する。
【００３３】
ステップＳ１５において、第８のユニットは、測定レポートをＰｅＮＢに対して送信する。例えば、その中で測定レポートが送信されるサブフレームのインデックスが、サブフレーム・パターンのインデックスに関連している場合に、第８のユニットは、ＰｅＮＢが、受信されたレポートが対応するサブフレーム・パターンを知ることができるように、対応するサブフレームの中の測定レポートのおのおのを送信する。
【００３４】
ステップＳ１６において、第３のユニットは、ユーザ装置ＰＵＥから測定レポートを受信する。
【００３５】
ステップＳ１７において、第４のユニットは、通知された関連付けに従って、受信された測定レポートのおのおのを対応するサブフレーム・パターンと関係づける。例えば、その中で測定レポートが送信されるサブフレームのインデックスが、サブフレーム・パターンのインデックスに関連している場合に、第４のユニットは、その中で測定レポートが送信されるサブフレームのインデックスを獲得し、またサブフレーム・パターンのインデックスを決定する。
【００３６】
一例においては、ＰｅＮＢは、それゆえに、各ＣＱＩレポートが、異なる測定サブフレーム・パターンの中で測定される干渉に基づいている３つのＣＱＩレポートをＰＵＥから受信し、ＰｅＮＢは、３つのマクロセルのおのおのが独立してＡＢＳを使用しているサブフレームの中でＰＵＥに対する伝送についてのサポート可能なＭＣＳを確認することができる。これは、ＰｅＮＢが、どのマクロセルがＵＥに対してかなりの干渉を引き起こしているかを知ることを助けることができ、またそれによって、例えば、ＰＵＥがかなりのマクロセルラー方式の干渉を経験することのないサブフレームだけを選択して、あるいは高い干渉が経験されるサブフレームにおいてコード・レートまたは変調次数を低減させるようにＭＣＳを調整することにより、ＰＵＥに対するデータ伝送を適切にスケジュールすることを助けることができる。
【００３７】
上記ステップＳ１０およびＳ１１に関して、いくつかの実施形態においては、ＵＥに対するサブフレーム・パターンについての情報は、ＵＥ特有の専用の信号を経由して送信されることもある。しかし一方で他の実施形態においては、その情報は、ブロードキャスト／マルチキャスト信号によって送信されることもある。後者の場合については、中心に位置するＰＵＥが、ほとんど干渉を受けず、それゆえに干渉についての測定レポートを提供する必要がないことに起因して、本発明の好ましい実施形態において、ＰｅＮＢは、測定レポートを提供しない指示をユーザ装置に対して送信する。またセル・エッジに位置するＰＵＥでは、ＰｅＮＢは、測定レポートを提供する指示をユーザ装置に対して送信する。
【００３８】
追加の一実施形態においては、ＰｅＮＢは、１つの特定のパターンについての測定レポートを送信するようにユーザ装置に通知する。
【００３９】
別の追加の実施形態においては、ＰｅＮＢは、１つの特定のパターンについての測定レポートをアクティブにするように、または非アクティブにするようにユーザ装置に通知する。
【００４０】
いくつかの実施形態においては、例えば、すべての関連するＣＱＩレポートが、特定のパターンのサブフレームの中に深刻な干渉が存在しないことを示す場合に、サービング・セルは、与えられた測定サブフレーム・パターンに関連するＣＱＩレポートを使用して、ＵＥに対する特定の測定サブフレーム・パターンの信号のスイッチを切ることができる。
【００４１】
当業者なら、本説明、図面および添付の特許請求の範囲を詳しく調べることを通して、開示された実施形態に対する修正形態を理解し、また実現することができる。本発明の精神を逸脱しない、すべてのそのような修正形態は、添付の特許請求の範囲の範囲内に含まれることが意図される。単語「含む／備える（ｃｏｍｐｒｉｓｉｎｇ）」は、請求項において、または本説明においてリストアップされていない要素またはステップの存在を排除してはいない。要素に先行している単語「１つの（ａ）」または「１つの（ａｎ）」は、複数のそのような要素の存在を排除してはいない。本発明の実施においては、請求項におけるいくつかの技術的特徴は、１つのコンポーネントによって実施される可能性がある。特許請求の範囲においては、括弧の間に配置されるどのような参照符号も請求項を限定するものと解釈されるべきではない。
【図２】
0005553943.tif 000002
【図３】
0005553943.tif 000003
【図１】
0005553943.tif 000004